(57)【要約】【課題】デッキプレートに取り付ける際の施工性が良く、デッキプレートから外れ難い金物を提供する。【解決手段】荷重受部２１Ａ，２１Ｂ，２１Ｃ，２１Ｄが、鉤部１２Ａ、１２Ｂ，１２Ｃ，１２Ｄの係合とは反対側となる内側から水平方向の荷重を受けたとき、ストッパ部２６Ａ，２６Ｂ，２６Ｃ，２６Ｄが山部６２Ａ，６２Ｂに支持されることにより、当該荷重に抗することができる。外側荷重受部２１Ａ，２１Ｂ，２１Ｃ，２１Ｄに付与された水平方向の荷重は、２６Ａ，２６Ｂ，２６Ｃ，２６Ｄによって支持される一方、別部材である鉤部１２Ａ、１２Ｂ，１２Ｃ，１２Ｄには伝達され難くなる。これにより、金物１００がデッキプレート６０から外れ難くなる。また、金物１００の強度を増加させなくともよくなるため、デッキプレート６０に対して金物１００を取り付けやすくすることができる。【選択図】図１
2020165193.tif 000002
【特許請求の範囲】
【請求項１】
第１の方向に互いに離間するように配列され、上方へ突出して前記第１の方向と直交する水平方向である第２の方向に延びる複数の山部を有するデッキプレートに取り付けられる金物であって、
前記複数の山部のうちの第１の山部及び第２の山部に取り付けられる第１の金物と、
前記デッキプレートにコンクリートが打設された際に、前記コンクリート内で移動しようとするボイド型枠からの荷重を受ける荷重受部を備える第２の金物と、を備え、
前記第１の金物は、少なくとも前記第１の山部に対し、前記第２の山部とは反対側から係合する鉤部を有し、
前記第２の金物は、前記第１の山部に対し、前記第２の山部側に配置されるストッパ部を有し、
前記第１の金物の前記鉤部は、前記第２の金物の荷重受部と連結されている、金物。
【請求項２】
前記鉤部が前記第１の山部に係合している状態において、前記ストッパ部は前記第１の山部と接触又は近接している、請求項１に記載の金物。
【請求項３】
前記鉤部は、前記第１の山部に対し、前記第２の山部とは反対側に配置されるフック部を備え、
前記第２の方向から見て、前記第１の金物と前記第２の金物との連結点は、前記鉤部の前記フック部と前記ストッパ部との間に形成される、請求項１又は２に記載の金物。
【発明の詳細な説明】
【技術分野】
【０００１】
本発明は、デッキプレートに取り付けられる金物に関する。
【背景技術】
【０００２】
従来、ボイドスラブのボイド（中空）は、コンクリート中にボイド型枠を埋設することにより成形される。この型枠には薄肉鋼管やＥＰＳ成形品が一般的に用いられる。これらのボイド型枠にはコンクリート打設時に浮力が作用するため、ボイドを適切な位置に施工するためには、この浮力を受け止めて固定する機構が必要となる。このような機構として、特許文献１に示すような金物が知られている。この金物は、デッキプレートの山部間に金物を架け渡すと共に、鉤部が山部に係合することによってデッキプレートに取り付けられている。金物とデッキプレートとの間にボイド型枠を配置する。これによって、金物が、打設時に浮上して上方へ移動しようとするボイド型枠を受ける事ができる。
【先行技術文献】
【特許文献】
【０００３】
【特許文献１】特開２０１８−１７２９６３号公報
【発明の概要】
【発明が解決しようとする課題】
【０００４】
ここで、打設時にはボイド型枠が水平方向へ移動するような力を金物に与える場合がある。この場合、特許文献１に示すような金物では、鉤部がデッキプレートの山部から外れてしまう可能性がある。その一方、外れないようにするために金物の強度を増して曲げ難くした場合、金物をデッキプレートに取り付けにくくなるという問題が生じる。
【０００５】
本発明は、このような課題を解決するためになされたものであり、デッキプレートに取り付ける際の施工性が良く、デッキプレートから外れ難い金物を提供することを目的とする。
【課題を解決するための手段】
【０００６】
本発明に係る金物は、第１の方向に互いに離間するように配列され、上方へ突出して前記第１の方向と直交する水平方向である第２の方向に延びる複数の山部を有するデッキプレートに取り付けられる金物であって、複数の山部のうちの第１の山部及び第２の山部に取り付けられる第１の金物と、デッキプレートにコンクリートが打設された際に、コンクリート内で移動しようとするボイド型枠からの荷重を受ける荷重受部を備える第２の金物と、を備え、第１の金物は、少なくとも第１の山部に対し、第２の山部とは反対側から係合する鉤部を有し、第２の金物は、第１の山部に対し、第２の山部側に配置されるストッパ部を有し、第１の金物の鉤部は、第２の金物の荷重受部と連結されている。
【０００７】
本発明に係る金物において、第２の金物は、コンクリート内で移動しようとするボイド型枠からの荷重を受ける荷重受部に加え、第１の山部に対し、第２の山部側に配置されるストッパ部を有する。この場合、荷重受部が、第２の山部側、すなわち鉤部の係合とは反対側から水平方向の荷重を受けたとき、ストッパ部が第１の山部に支持されることにより、当該荷重に抗することができる。このとき、第１の金物の鉤部は、第２の金物の荷重受部と連結可能な構造となっており、鉤部は、荷重を受ける荷重受部と別部材の金物として構成されている。すなわち、荷重受部に付与された水平方向の荷重は、ストッパ部によって支持される一方、別部材である鉤部には伝達され難くなる。これにより、金物がデッキプレートから外れ難くなる。また、金物の強度を増加させなくともよくなるため、デッキプレートに対して金物が取り付けにくくなることを抑制できる。以上より、デッキプレートに取り付ける際の施工性が良く、デッキプレートから外れ難い金物を提供することができる。
【０００８】
鉤部が第１の山部に係合している状態において、ストッパ部は第１の山部と接触又は近接していてよい。この場合、荷重受部に荷重が作用したとき、ストッパ部が速やかに第１の山部と接触することで、当該荷重を支持することができる。
【０００９】
鉤部は、第１の山部に対し、第２の山部とは反対側に配置されるフック部を備え、第２の方向から見て、第１の金物と第２の金物との連結点は、鉤部のフック部とストッパ部との間に形成されてよい。この場合、荷重受部に対してボイド型枠の浮上により上方へ向かう荷重が作用した場合、連結点に上方へ向かう荷重が伝達される。このとき、連結点は、鉤部のフック部とストッパ部との間に形成されているため、ストッパ部は、鉤部のフック部との間で第１の山部を挟み込むような挙動を行う。これにより、金物がデッキプレートから外れることを抑制できる。
【発明の効果】
【００１０】
本発明によれば、デッキプレートに取り付ける際の施工性が良く、デッキプレートから外れ難い金物を提供することができる。
【図面の簡単な説明】
【００１１】
【図１】本発明の実施形態に係る金物がデッキプレートに取り付けられた状態を示す斜視図である。
【図２】図１に示す金物及びデッキプレートを示す正面図である。
【図３】図１に示す下部金物及びデッキプレートの斜視図である。
【図４】図１に示す上部金物の斜視図である。
【図５】図１のＶで示す部分の拡大図斜視図である。
【図６】図６（ａ）は、図５に示す部分を上方から見た図であり、図６（ｂ）は、図５に示す部分を正面から見た図である。
【図７】上部金物と下部金物の拡大展開図である。
【図８】デッキプレートを用いて構成されたコンクリートスラブの概略断面図である。
【図９】比較例に係る金物を示す概略図である。
【図１０】本実施形態に係る金物の取り付け時の様子を示す概念図である。
【図１１】外側荷重受部に水平方向の荷重が作用したときの様子を示す概念図である。
【図１２】外側荷重受部に上方へ向かう荷重が作用したときの様子を示す概念図である。
【発明を実施するための形態】
【００１２】
以下、本発明の好適な実施形態について、図面を参照しながら説明する。
【００１３】
［第１実施形態］
図１は、本発明の実施形態に係る金物がデッキプレートに取り付けられた状態を示す斜視図である。図２は、図１に示す金物及びデッキプレートを示す正面図である。図３は、図１に示す下部金物及びデッキプレートの斜視図である。図４は、図１に示す上部金物の斜視図である。図５は、図１のＶで示す部分の拡大図斜視図である。図６（ａ）は、図５に示す部分を上方から見た図であり、図６（ｂ）は、図５に示す部分を正面から見た図である。図７は、上部金物と下部金物の拡大展開図である。図８は、デッキプレートを用いて構成されたコンクリートスラブの概略断面図である。本実施形態に係る金物１００は、図８に示すようなコンクリートスラブ５０を構成するために用いられるものである。なお、以降の説明においては、ＸＹＺ座標を設定して説明を行う場合がある。水平方向における一の方向をＸ軸方向（第１の方向）とし、水平方向においてＸ軸方向と直交する方向をＹ軸方向（第２の方向）とし、上下方向をＺ軸方向とする。Ｘ軸方向における一方側を「正側」とし他方側を「負側」とする。Ｙ軸方向における一方側を「正側」とし他方側を「負側」とする。Ｚ軸方向における上側を「正側」とし下側を「負側」とする。
【００１４】
まず、図８を参照して、コンクリートスラブ５０及びデッキプレート６０の構成について説明する。図８に示すように、コンクリートスラブ５０は、デッキプレート６０を型枠とし、当該デッキプレート６０上にコンクリート５２を打設することによって構成される。コンクリート５２の内部には、ボイドＶを形成するためのボイド型枠５３と、上面付近に水平方向に配置される金網状の鉄筋５４と、を備えている。デッキプレート６０は、水平方向に広がる底面部６１と、底面部６１から上方へ突出する複数の山部６２と、を備えている（図１参照）。複数の山部６２は、Ｘ軸方向に互いに離間するように配置される。また、複数の山部６２は、それぞれＹ軸方向に延びている。また、山部６２は、底面部６１から上方へ向かって垂直に真っ直ぐ延びる垂直部６３と、垂直部６３の上端部に設けられる拡大部６４と、を備える。拡大部６４は、逆三角形状をなしており、垂直部６３の厚みに比して、上面６２ａが拡大されている。なお、説明の便宜上、本実施形態において金物１００の取り付けに関わる三つの山部６２を、Ｘ軸方向における負側から正側へ向かって山部６２Ａ、山部６２Ｂ、山部６２Ｃと称する場合がある。
【００１５】
ボイド型枠５３は、コンクリート５２内の上下方向における中途位置に配置されている。ボイド型枠５３は、コンクリート５２の打設前には、金物１００に保持された状態でデッキプレート６０に設けられる（図２参照）。コンクリート５２の打設後は、当該コンクリート５２の硬化に伴い、当該位置に固定される。鉄筋５４は、コンクリート５２内の上面付近に配置されている。
【００１６】
図１〜図４を参照して、金物１００の構成について説明する。金物１００は、複数の山部６２を有するデッキプレート６０に取り付けられる部材である。また、金物１００は、デッキプレート６０に取り付けられた状態にて、コンクリート５２内を浮上するボイド型枠５３を所定の位置で保持し、且つ、鉄筋５４をコンクリート５２内の所定の高さ位置に保持する機能を有する。図１及び図２に示すように、金物１００は、山部６２Ａ，６２Ｂ，６２Ｃに取り付けられる下部金物１（第１の金物）と、下部金物１から上側へ立ち上がる上部金物２（第２の金物）と、を備える。下部金物１は、山部６２Ａと山部６２Ｃとの間を山部６２Ｂを中継して架け渡されるように配置され、両端側で山部６２Ａ，６２Ｃに係合する。上部金物２は、山部６２Ａ，６２Ｂ，６２Ｃのそれぞれから上方へ立ち上がるような形状を有している。上部金物２は、山部６２Ａ，６２Ｃのそれぞれの位置において、下部金物１に連結される。
【００１７】
なお、以降の説明においては、Ｘ軸方向について説明するとき「内側」「外側」という語を用いる場合がある。「内側」とは、金物１００のＸ軸方向における中央に近付く側を意味し、「外側」とは、金物１００のＸ軸方向における中央から遠ざかる側を意味する。特に、山部６２Ａ付近の説明を行う場合、山部６２Ａから見て山部６２Ｂ，Ｃと反対側であるＸ軸方向の負側が「外側」に該当し、山部６２Ｂ，Ｃ側であるＸ軸方向の正側が「内側」に該当する。このとき、山部６２Ａが請求項における「第１の山部」に対応し、山部６２Ｂ，Ｃが請求項における「第２の山部」に対応する。山部６２Ｃ付近の説明を行う場合、山部６２Ｃから見て山部６２Ａ，Ｂと反対側であるＸ軸方向の正側が「外側」に該当し、山部６２Ａ，Ｂ側であるＸ軸方向の負側が「内側」に該当する。このとき、山部６２Ｃが請求項における「第１の山部」に対応し、山部６２Ａ，Ｂが請求項における「第２の山部」に対応する。
【００１８】
次に、図３を参照して、下部金物１の構成について説明する。図３に示すように、下部金物１は、型枠支持部１１Ａ，１１Ｂ，１１Ｃ，１１Ｄと、鉤部１２Ａ，１２Ｂ，１２Ｃ，１２Ｄと、連結用立ち上がり部１３Ａ，１３Ｂ，１３Ｃ，１３Ｄと、繋ぎ部１４Ａ，１４Ｂ，１４Ｃと、を備える。下部金物１は、線材を屈曲・湾曲させることで所定の形状にし、このような複数の線材を溶接等で互いに固定することで、構成される。
【００１９】
型枠支持部１１Ａ，１１Ｃは、山部６２Ａ，６２Ｂ間に架け渡されるようにＸ軸方向に延び、山部６２Ａ，６２Ｂ間でボイド型枠５３を支持する部分である。型枠支持部１１Ｂ，１１Ｄは、山部６２Ｃ，６２Ｂ間に架け渡されるようにＸ軸方向に延び、山部６２Ｃ，６２Ｂ間でボイド型枠５３を支持する部分である。型枠支持部１１Ａ，１１Ｂは、Ｙ軸方向において同位置に配置される。型枠支持部１１Ａ，１１Ｂの境界部分には、山部６２Ｂ上に載置される被載置部１６Ａが形成される。型枠支持部１１Ｃ，１１Ｄは、Ｙ軸方向において同位置に配置される。型枠支持部１１Ｃ，１１Ｄは、型枠支持部１１Ａ，１１Ｂに対してＹ軸方向における正側に離間する位置に配置される。型枠支持部１１Ｃ，１１Ｄの境界部分には、山部６２Ｂ上に載置される被載置部１６Ｂが形成される。
【００２０】
型枠支持部１１Ａは、ボイド型枠５３を位置決めする位置決め部２１を有する。位置決め部２１は、山部６２Ａ，６２Ｂ間においてＸ軸方向におけるボイド型枠５３の位置決めを行う。位置決め部２１は、型枠支持部１１Ａを構成する部材が下方へ向かって凹となることによって構成される。位置決め部２１は、Ｘ軸方向に延びる線材を当該Ｘ軸方向の中途位置で屈曲させることによって構成される。位置決め部２１は、下方へ向かって凹となるＶ字状の形状を有している。位置決め部２１のＸ軸方向における内側の端部からは、被載置部１６Ａへ向かって下方へ傾斜する中継部２２が延びている。位置決め部２１のＸ軸方向における外側の端部からは、鉤部１２Ａへ向かって下方へ傾斜する中継部２３が延びている。位置決め部２１は、中継部２２との間の角部、及び中継部２３との間の角部をボイド型枠５３の側周面に当接させることにより、当該ボイド型枠５３を位置決めする。すなわち、位置決め部２１は、二点支持によってボイド型枠５３を位置決めする。型枠支持部１１Ｃは、型枠支持部１１Ａと同趣旨の構成を有しているため、説明を省略する。型枠支持部１１Ｂ，１１Ｄは、型枠支持部１１Ａと左右対称な構成を有しているため、説明を省略する。
【００２１】
鉤部１２Ａ，１２Ｃは、山部６２Ａに対しＸ軸方向における外側から係合するための部分である。鉤部１２Ａ，１２Ｃは、型枠支持部１１Ａ，１１ＣのＸ軸方向における外側の端部（中継部２３の端部）から延びるように形成される。鉤部１２Ａ，１２Ｃは、山部６２ＡのＸ軸方向における内側から延びてきて、外側へ回り込むことによって、山部６２Ａに係合する。鉤部１２Ｂ，１２Ｄは、山部６２Ｃに対しＸ軸方向における外側から係合するための部分である。鉤部１２Ｂ，１２Ｄは、型枠支持部１１Ｂ，１１ＤのＸ軸方向における外側の端部（中継部２３の端部）から延びるように形成される。鉤部１２Ｂ，１２Ｄは、山部６２ＣのＸ軸方向における内側から延びてきて、外側へ回り込むことによって、山部６２Ｃに係合する。鉤部１２Ａ，１２Ｂは、Ｙ軸方向において同位置に配置される。鉤部１２Ｃ，１２Ｄは、Ｙ軸方向において同位置に配置される。鉤部１２Ｃ，１２Ｄは、鉤部１２Ａ，１２Ｂに対してＹ軸方向における正側に離間する位置に配置される。なお、鉤部１２Ａ，１２Ｂ，１２Ｃ，１２Ｄの詳細な構成については、後述する。
【００２２】
連結用立ち上がり部１３Ａ，１３Ｂ，１３Ｃ，１３Ｄは、上部金物２と連結するために当該上部金物２をガイドすると共に、ガイドした上部金物２に連結される部分である。連結用立ち上がり部１３Ａ，１３Ｂ，１３Ｃ，１３Ｄは、鉤部１２Ａ，１２Ｂ，１２Ｃ，１２Ｄから上方に立ち上がるように設けられる。なお、連結用立ち上がり部１３Ａ，１３Ｂ，１３Ｃ，１３Ｄの詳細な構成については、後述する。
【００２３】
繋ぎ部１４Ａ，１４Ｂ，１４Ｃは、型枠支持部１１Ａ，１１Ｂ、鉤部１２Ａ，１２Ｂ、及び連結用立ち上がり部１３Ａ，１３Ｂを構成する部材と、型枠支持部１１Ｃ，１１Ｄ、鉤部１２Ｃ，１２Ｄ、及び連結用立ち上がり部１３Ｃ，１３Ｄと、を繋ぎ合わせるように、Ｙ軸方向に延びる線材である。繋ぎ部１４Ａは、山部６２Ａに対応する位置にてＹ軸方向に延びて、鉤部１２Ａと鉤部１２Ｃとを繋ぎ合わせる。繋ぎ部１４Ｂは、山部６２Ｂに対応する位置にてＹ軸方向に延びて、被載置部１６Ａと被載置部１６Ｂとを繋ぎ合わせる。繋ぎ部１４Ｃは、山部６２Ｃに対応する位置にてＹ軸方向に延びて、鉤部１２Ｂと鉤部１２Ｄとを繋ぎ合わせる。なお、連結用立ち上がり部１３Ａ，１３Ｃは、繋ぎ部１４Ａを構成する線材をＹ軸方向の両端部で屈曲させることによって形成される。連結用立ち上がり部１３Ｂ，１３Ｄは、繋ぎ部１４Ｃを構成する線材をＹ軸方向の両端部で屈曲させることによって形成される。
【００２４】
次に、図４を参照して、上部金物２の構成について説明する。図４に示すように、上部金物２は、天井部２０と、外側荷重受部２１Ａ，２１Ｂ，２１Ｃ，２１Ｄ（荷重受部）と、内側荷重受部２２Ａ，２２Ｂ，２２Ｃ，２２Ｄと、フック部２４Ａ，２４Ｂ，２４Ｃ，２４Ｄと、ストッパ部２６Ａ，２６Ｂ，２６Ｃ，２６Ｄと、を備える。上部金物２は、線材を屈曲・湾曲させることで所定の形状にし、このような複数の線材を溶接等で互いに固定することで、構成される。
【００２５】
天井部２０は、上部金物２の上端部を構成する部分である。天井部２０は、下部金物１と連結した時に、当該下部金物１から上方へ離間した位置にて、Ｘ軸方向に真っ直ぐ延びる線材によって構成される。天井部２０は、下部金物１のＹ軸方向における中央位置に配置される。また、天井部２０のＸ軸方向の負側の端部は、Ｘ軸方向の負側のボイド型枠５３の中心よりも山部６２Ａ側まで延び、天井部２０のＸ軸方向の正側の端部は、Ｘ軸方向の正側のボイド型枠５３の中心よりも山部６２Ｃ側まで延びる。
【００２６】
外側荷重受部２１Ａ，２１Ｂ，２１Ｃ，２１Ｄは、デッキプレート６０にコンクリート５２が打設された際に、コンクリート５２内で移動しようとするボイド型枠５３からの荷重を受ける部分である。外側荷重受部２１Ａ，２１Ｂ，２１Ｃ，２１Ｄは、Ｘ軸方向における外側にて、ボイド型枠５３からの荷重を受ける。外側荷重受部２１Ａ，２１Ｃは、上端側の天井部２０の山部６２Ａ側の端部から下方へ延びる。外側荷重受部２１Ａ，２１Ｃは、下方へ延びるに従ってＸ軸方向における外側へ広がって、山部６２Ａに近付くように傾斜する。外側荷重受部２１Ｂ，２１Ｄは、上端側の天井部２０の山部６２Ｃ側の端部から下方へ延びる。外側荷重受部２１Ｂ，２１Ｄは、下方へ延びるに従ってＸ軸方向における外側へ広がって、山部６２Ｃに近付くように傾斜する。外側荷重受部２１Ａ，２１Ｂは、天井部２０からＹ軸方向の負側へ向かうに従って、Ｘ軸方向の外側へ広がるように延びる。外側荷重受部２１Ｃ，２１Ｄは、天井部２０からＹ軸方向の正側へ向かうに従って、Ｘ軸方向の外側へ広がるように延びる。
【００２７】
内側荷重受部２２Ａ，２２Ｂ，２２Ｃ，２２Ｄは、デッキプレート６０にコンクリート５２が打設された際に、コンクリート５２内で移動しようとするボイド型枠５３からの荷重を受ける部分である。内側荷重受部２２Ａ，２２Ｂ，２２Ｃ，２２Ｄは、Ｘ軸方向における内側にて、ボイド型枠５３からの荷重を受ける。内側荷重受部２２Ａ，２２Ｃは、上端側の天井部２０の山部６２Ａ側の領域から下方へ延びる。内側荷重受部２２Ａ，２２Ｃは、下方へ延びるに従ってＸ軸方向における内側へ広がって、山部６２Ｂに近付くように傾斜する。内側荷重受部２２Ｂ，２２Ｄは、上端側の天井部２０の山部６２Ｃ側の領域から下方へ延びる。内側荷重受部２２Ｂ，２２Ｄは、下方へ延びるに従ってＸ軸方向における内側へ広がって、山部６２Ｂに近付くように傾斜する。内側荷重受部２２Ａ，２２Ｂは、天井部２０からＹ軸方向の負側へ向かうに従って、Ｘ軸方向の内側へ広がるように延びる。内側荷重受部２２Ｃ，２２Ｄは、天井部２０からＹ軸方向の正側へ向かうに従って、Ｘ軸方向の内側へ広がるように延びる。なお、内側荷重受部２２Ａの下端部と内側荷重受部２２Ｂの下端部とは、山部６２Ｂ上に載置される被載置部２７Ａを介して接続される。内側荷重受部２２Ｃの下端部と内側荷重受部２２Ｄの下端部とは、山部６２Ｂ上に載置される被載置部２７Ｂを介して接続される。なお、被載置部２７Ａ，２７Ｂの一部、及び内側荷重受部２２Ａ，２２Ｃは、一本の線材を屈曲させることによって構成される。被載置部２７Ａ，２７Ｂの一部、及び内側荷重受部２２Ｂ，２２Ｄは、一本の線材を屈曲させることによって形成される。
【００２８】
フック部２４Ａ，２４Ｂ，２４Ｃ，２４Ｄは、下部金物１に引っ掛けられることで、当該下部金物１と連結する部分である。フック部２４Ａ，２４Ｂ，２４Ｃ，２４Ｄは、連結用立ち上がり部１３Ａ，１３Ｂ，１３Ｃ，１３Ｄとそれぞれ連結される。上部金物２のフック部２４Ａ，２４Ｂ，２４Ｃ，２４Ｄは、外側荷重受部２１Ａ，２１Ｂ，２１Ｃ，２１Ｄの下端部にそれぞれ形成されている。フック部２４Ａ，２４Ｃ及び外側荷重受部２１Ａ，２１Ｃは、一本の線材を屈曲させることによって形成される。フック部２４Ｂ，２４Ｄ及び外側荷重受部２１Ｂ，２１Ｄは、一本の線材を屈曲させることによって形成される。なお、フック部２４Ａ，２４Ｂ，２４Ｃ，２４Ｄの詳細な構成については後述する。
【００２９】
ストッパ部２６Ａ，２６Ｃは、外側荷重受部２１Ａ，２１Ｃが荷重を受けたときに、山部６２Ａと接触することで外側荷重受部２１Ａ，２１Ｃの移動を止めるものである。ストッパ部２６Ｂ，２６Ｄは、外側荷重受部２１Ｂ，２１Ｄが荷重を受けたときに、山部６２Ｃと接触することで外側荷重受部２１Ｂ，２１Ｄの移動を止めるものである。ストッパ部２６Ａ，２６Ｂ，２６Ｃ，２６Ｄは、外側荷重受部２１Ａ，２１Ｂ，２１Ｃ，２１Ｄの下端部付近にそれぞれ設けられる。
【００３０】
次に、図５及び図６を参照して、鉤部１２Ａ付近の構造について説明する。ここでは、下部金物１の鉤部１２Ａ及び連結用立ち上がり部１３Ａと、上部金物２のフック部２４Ａ及びストッパ部２６Ａと、について詳細に説明する。以下の説明では、下部金物１がデッキプレート６０に取り付けられ、上部金物２が下部金物１に取り付けられた状態について説明しているものとする。なお、鉤部１２Ｂ，１２Ｃ，１２Ｄ付近の構造は、鉤部１２Ａ付近の構造と向き等が異なる点以外は同趣旨であるため、説明を省略する。
【００３１】
図５及び図６に示すように、鉤部１２Ａは、被載置部３１と、フック部３２と、を備える。被載置部３１は、山部６２Ａの上面６２ａに載置される部分である。被載置部３１は、型枠支持部１１Ａの中継部２３の端部からＸ軸方向の外側へ延びる。なお、被載置部３１は、山部６２Ａの上面６２ａの外側の縁部に接触した状態で、内側へ向かうに従って上面６２ａから浮き上がるように僅かに傾斜している。
【００３２】
フック部３２は、山部６２Ａの上面６２ａをＸ軸方向の外側の縁部から周りこんで、拡大部６４のＸ軸方向の外側の側面６４ａと対向するように配置される。フック部３２は、山部６２Ａの上面６２ａをＸ軸方向の負側の端部から下方へ延びる第１の部分３２ａと、第１の部分３２ａの下端部から下方へ湾曲するように、拡大部６４の側面６４ａへ向かって延びる第２の部分３２ｂと、を備える（図６（ｂ）参照）。第２の部分３２ｂが拡大部６４の側面６４ａと接触する。
【００３３】
連結用立ち上がり部１３Ａは、連結バー３３と、ガイド部３４と、を備える。連結バー３３は、上部金物２のフック部２４Ａを引っ掛ける部分である。連結バー３３は、鉤部１２Ａの被載置部３１からＹ軸方向の側へ延びる。連結バー３３は、Ｘ軸方向において、繋ぎ部１４Ａよりも内側であって、山部６２Ａの上面６２ａの内側の縁部よりも外側に配置される。ガイド部３４は、フック部２４Ａを連結バー３３へガイドする部分である。ガイド部３４は、連結バー３３の先端から上方へ向かって立ち上がる。ガイド部３４は、上方へ向かうに従って、Ｙ軸方向の負側へ向かうように傾斜する。
【００３４】
フック部２４Ａは、第１の部分４１と、第２の部分４２と、を備える。第１の部分４１は、連結用立ち上がり部１３Ａの連結バー３３の下方に潜り込むように水平方向に延びる部分である。第１の部分４１は、山部６２Ａの上面６２ａ上に載置される。第１の部分４１は、外側荷重受部２１Ａの下端部からＸ軸方向における外側へ延びている。第２の部分４２は、連結バー３３に引っ掛かることで、フック部２４Ａが連結用立ち上がり部１３Ａから外れることを防止できる部分である。第２の部分４２は、第１の部分４１のＸ軸方向における外側の端部から上方へ延びる。フック部２４Ａは、鉤部１２ＡよりもＹ軸方向における正側に配置されており、連結用立ち上がり部１３Ａの連結バー３３のＹ軸方向における正側の端部（ガイド部３４が立ち上がる箇所）よりもＹ軸方向における負側に配置される。このような構成により、フック部２４Ａは、連結用立ち上がり部１３Ａの連結バー３３と連結される。なお、連結バー３３に対してフック部２４Ａが引っ掛かっている箇所が、下部金物１と上部金物２との連結点ＣＰに該当する。
【００３５】
ストッパ部２６Ａは、鉤部１２Ａが山部６２Ａに係合している状態において、山部６２Ａと接触又は近接する。ストッパ部２６Ａは、外側荷重受部２１Ａの下端部側の領域に固定される固定部４３と、固定部４３の下端から下方へ延びる本体部４４と、を備える。本体部４４は、山部６２ＡのＸ軸方向の正側の縁部と近接するように設けられる。Ｙ軸方向から見て、下部金物１と上部金物２との連結点ＣＰは、鉤部１２Ａのフック部３２とストッパ部２６Ａとの間に形成される。
【００３６】
次に、金物１００の施工手順について説明する。まず、デッキプレート６０に対して、下部金物１を取り付ける。このとき、鉤部１２Ａ、１２Ｃを山部６２Ａに添え、鉤部１２Ｂ、１２Ｄを山部６２Ｃに添えた状態とし、下部金物１を上方から押さえつけて各鉤部を山部に係合させることで、容易に取り付けが可能となる。次に、デッキプレート６０に取り付けられた下部金物１に対し、上部金物２を上側から嵌め込むように取り付ける。このとき、図７に示すように、本体部４４を山部６２ＡのＸ軸方向に対して正側に配置し(山部６２ＣのＸ軸方向に対して負側に配置)、さらに、フック部２４Ｂ，２４Ｄを連結用立ち上がり部１３Ｂ，１３Ｄに沿わせるようにして、上部金物２を下方へ押し付ける。このとき、外側荷重受部２１Ｂが回転方向ＲＤ１へ、外側荷重受部２１Ｄが回転方向ＲＤ２へ向かって、互いに近付くように変形移動する。そして、フック部２４Ｂ，２４Ｄが連結バー３３の位置に達すると、外側荷重受部２１Ｂ，２１Ｄが広がって元の状態に戻る。そして、連結バー３３にフック部２４Ｂ，２４Ｄが引っ掛かって連結された状態となる。このように、上部金物２を上から押し付けるだけの動作で、容易に上部金物２を下部金物１に連結させることができる。
【００３７】
次に、本実施形態の金物１００の作用・効果について説明する。
【００３８】
まず、図９を参照して、比較例に係る金物１５０について説明する。この金物１５０では、外側荷重受部１２４と鉤部１１２が同一の部材として構成されている。金物１５０を設置するとき、図９（ａ）に示すように、金物１５０を山部６２へ押し付けると鉤部１１２が外側へ広がる（方向ＭＡ１）。そして、鉤部１１２が山部６２の拡大部を乗り越えると、元の形状に戻り（方向ＭＡ２）、山部６２へ係合する。金物１５０を設置する時、鉤部１１２が山部６２の拡大部を乗り越えるためには、鉤部１１２が外側へ広がるための余裕（ばね性）が必要になる。しかし拡大部を乗り越えた後（設置後）のデッキプレート６０への締め付けは、そのばね性が大きいほど緩くなる。ここで、コンクリート打設時にボイド型枠５３が金物１５０を押す力は、金物１５０の設置時に鉤部１１２を押し拡げる力より大きい。したがって、ボイド型枠５３が外側荷重受部１２４を水平方向における外側へ押すと鉤部１１２は広がりやすく（方向ＭＢ１）、また鉛直方向に押すと、鉤部１１２は山部６２の拡大部に沿って広がりやすく（方向ＭＢ１）、これらによって鉤部１１２が上方に移動して外れやすくなってしまう。しかしながら、外側荷重受部１２４等の強度を高め、ボイド型枠５３に押されても鉤部１１２が広がらないようにしてしまうと、設置時のばね効果が得られなくなり、鉤部１１２がデッキ拡大部を乗り越えることができず取り付け難くなるという問題が生じる。
【００３９】
これに対し、本実施形態に係る金物１００について、図１０〜図１２を参照して説明する。図１０に示すように、鉤部１２Ａを有する下部金物１の取付けは、比較例と同様にばねの効果を利用して広げながら（方向ＭＣ１）山部の拡大部を乗り越え、乗り越えたら元の形状に戻る（方向ＭＣ２）ことによってなされる。
【００４０】
そして、図１１に示すように、ボイド型枠５３が外側荷重受部２１Ａを外側へ水平方向に押しても（方向ＭＤ１）、外側荷重受部２１Ａの下側にあるストッパ部２６Ａが山部６２Ａと接触することにより（方向ＭＤ２）作用力は山部６２Ａに伝達される。そして、鉤部１２Ａは、連結点ＣＰにて別部材として外側荷重受部２１Ａと連結されているだけであるため、鉤部１２Ａが外側荷重受部２１Ａから直接的な荷重の伝達を受けることが抑制される。すなわち、鉤部１２Ａが作用力の影響を受けることが抑制され、外側へ移動することが抑制される（方向ＭＤ３）。従って、当該鉤部１２Ａが山部６２Ａが外れることが抑制される（図４）。
【００４１】
また、図１２に示すように、外側荷重受部２１Ａが上方に押されると（方向ＭＥ１）、鉤部１２Ａは連結点ＣＰを介して上方に引っ張られ（方向ＭＥ２）、ばね効果で山部６２Ａに沿って広がりながら拡大部を乗り越えようとする（方向ＭＥ３）。しかし鉤部１２Ａが広がろうとする程、連結点ＣＰを介してストッパ部２６Ａが山部６２Ａへ内側から強く接触して（方向ＭＥ４）、鉤部１２Ａの広がりを抑える（方向ＭＥ５）。従って、ばねの効果は発揮されず、鉤部１２Ａは山部６２Ａの拡大部に沿って広がることが抑制されるため、山部６２Ａから外れることが抑制される。
【００４２】
以上より、本実施形態に係る金物１００において、上部金物２は、コンクリート内で移動しようとするボイド型枠５３からの荷重を受ける外側荷重受部２１Ａ，２１Ｂ，２１Ｃ，２１Ｄに加え、外側の山部６２Ａ，６２Ｃに対し、内側に配置されるストッパ部２６Ａ，２６Ｂ，２６Ｃ，２６Ｄを有する。この場合、外側荷重受部２１Ａ，２１Ｂ，２１Ｃ，２１Ｄが、鉤部１２Ａ、１２Ｂ，１２Ｃ，１２Ｄの係合とは反対側となる内側から水平方向の荷重を受けたとき、ストッパ部２６Ａ，２６Ｂ，２６Ｃ，２６Ｄが山部６２Ａ，６２Ｃに支持されることにより、当該荷重に抗することができる。このとき、下部金物１の鉤部１２Ａ、１２Ｂ，１２Ｃ，１２Ｄは、上部金物２の外側荷重受部２１Ａ，２１Ｂ，２１Ｃ，２１Ｄと連結可能な構造となっており、鉤部１２Ａ、１２Ｂ，１２Ｃ，１２Ｄは、荷重を受ける外側荷重受部２１Ａ，２１Ｂ，２１Ｃ，２１Ｄと別部材の金物として構成されている。すなわち、外側荷重受部２１Ａ，２１Ｂ，２１Ｃ，２１Ｄに付与された水平方向の荷重は、２６Ａ，２６Ｂ，２６Ｃ，２６Ｄによって支持される一方、別部材である鉤部１２Ａ、１２Ｂ，１２Ｃ，１２Ｄには伝達され難くなる。これにより、金物１００がデッキプレート６０から外れ難くなる。また、金物１００の強度を増加させなくともよくなるため、デッキプレート６０に対して金物１００を取り付けやすくすることができる。また、外側荷重受部２１Ａ，２１Ｂ，２１Ｃ，２１Ｄがボイド型枠５３から上方への荷重を受けた場合も、図１２を参照して説明したように、鉤部１２Ａ、１２Ｂ，１２Ｃ，１２Ｄが山部６２Ａ，６２Ｃから外れることが抑制される。以上より、デッキプレート６０に取り付ける際の施工性が良く、デッキプレート６０から外れ難い金物１００を提供することができる。
【００４３】
鉤部１２Ａ、１２Ｂ，１２Ｃ，１２Ｄが山部６２Ａ，６２Ｃに係合している状態において、ストッパ部２６Ａ，２６Ｂ，２６Ｃ，２６Ｄは山部６２Ａ，６２Ｃと接触又は近接している。この場合、外側荷重受部２１Ａ，２１Ｂ，２１Ｃ，２１Ｄに荷重が作用したとき、ストッパ部２６Ａ，２６Ｂ，２６Ｃ，２６Ｄが速やかに山部６２Ａ，６２Ｃと接触することで、当該荷重を支持することができる。
【００４４】
鉤部１２Ａ，１２Ｃは、山部６２Ａに対しＸ軸方向の負側に配置されるフック部３２を備え、鉤部１２Ｂ，１２Ｄは、山部６２Ｃに対しＸ軸方向の正側に配置されるフック部３２を備え、Ｙ軸方向から見て、下部金物１と上部金物２との連結点ＣＰは、鉤部１２Ａ、１２Ｂ，１２Ｃ，１２Ｄのフック部３２とストッパ部２６Ａ，２６Ｂ，２６Ｃ，２６Ｄとの間に形成されてよい。この場合、外側荷重受部２１Ａ，２１Ｂ，２１Ｃ，２１Ｄに対してボイド型枠５３の浮上により上方へ向かう荷重が作用した場合、連結点ＣＰに上方へ向かう荷重が伝達される。このとき、連結点ＣＰは、鉤部１２Ａ、１２Ｂ，１２Ｃ，１２Ｄのフック部３２とストッパ部２６Ａ，２６Ｂ，２６Ｃ，２６Ｄとの間に形成されているため、ストッパ部２６Ａ，２６Ｂ，２６Ｃ，２６Ｄは、鉤部１２Ａ、１２Ｂ，１２Ｃ，１２Ｄのフック部３２との間で山部６２Ａ，６２Ｃを挟み込むような挙動を行う。これにより、金物１００がデッキプレート６０から外れることを抑制できる。
【００４５】
本発明は、上述の実施形態に限定されるものではない。
【００４６】
例えば、下部金物と上部金物との間の連結構造は、上述の実施形態のような連結バーとフック部の構造に限定されない。また、連結点の位置も特に限定されず、ストッパ部よりも内側に配置されてもよい。
【符号の説明】
【００４７】
１…下部金物（第１の金物）、２…上部金物（第２の金物）、１２Ａ、１２Ｂ，１２Ｃ，１２Ｄ…鉤部、２１Ａ，２１Ｂ，２１Ｃ，２１Ｄ…外側荷重受部（荷重受部）、２６Ａ，２６Ｂ，２６Ｃ，２６Ｄ…ストッパ部、５３…ボイド型枠、６２Ａ，６２Ｃ…山部（第１の山部，第２の山部）、６２Ｂ…山部（第２の山部）、１００…金物、ＣＰ…連結点。
【図１】
2020165193.tif 000003
【図２】
2020165193.tif 000004
【図３】
2020165193.tif 000005
【図４】
2020165193.tif 000006
【図５】
2020165193.tif 000007
【図６】
2020165193.tif 000008
【図７】
2020165193.tif 000009
【図８】
2020165193.tif 000010
【図９】
2020165193.tif 000011
【図１０】
2020165193.tif 000012
【図１１】
2020165193.tif 000013
【図１２】
2020165193.tif 000014